(57)【要約】【課題】簡便な作業により、固定される排水トラップの排出口を床下の排水配管に直接に連結することができる洗濯機パンを提供する。【解決手段】  洗濯機パン１は、洗濯機の排水管に連結される排水トラップ６が取り付け可能なものであり、洗濯機から漏れ出た水の溢水を防ぐ本体１１、排水トラップにおける排水の流入側を貫通させる点検孔３９を備えて本体に保持された固定部材４、及び排水トラップを貫通させて保持する取付孔３５を備えた可動部材３を有する。本体は、排水トラップを貫通させるための孔２２を有する。洗濯機パンは、可動部材が、取付孔を点検孔及び孔に連通させた状態で本体と固定部材との間に挟まれてこれらの並びに直交する方向に移動可能に保持され、かつ排水トラップを保持するときにも本体と固定部材との間を前記した直交する方向に移動可能に構成されている。【選択図】図１
2013217095.tif 000002
【特許請求の範囲】
【請求項１】
洗濯機の排水管に連結される排水トラップが取り付け可能な洗濯機パンであって、
前記洗濯機から漏れ出た水の外部への溢水を防止する本体と、
前記排水トラップにおける排水の流入側部分を貫通させるための点検孔を備えて前記本体に保持された固定部材と、
前記排水トラップを貫通させて保持するための取付孔を備えた可動部材と、を有し、
前記本体は、前記排水トラップを貫通させるための孔を有し、
前記可動部材は、
前記取付孔を前記点検孔および前記孔に連通させた状態で前記本体と前記固定部材との間に挟まれてこれらの並びに直交する方向に移動可能に保持され、かつ前記排水トラップを保持するときにも前記本体と前記固定部材との間を前記直交する方向に移動可能に構成された
ことを特徴とする洗濯機パン。
【請求項２】
前記孔の形状が円形である
請求項１に記載の洗濯機パン。
【請求項３】
前記孔の形状が楕円、２等分割された円の弦もしくは楕円の弦に前記弦と同寸法の辺を共通させた矩形が挟まれたもの、または矩形もしくは当該矩形の頂角が角取りされたものである
請求項１に記載の洗濯機パン。
【請求項４】
前記可動部材は、その外形が、楕円、２等分割された円もしくは楕円の弦に前記弦と同寸法の辺を共通させた矩形が挟まれたもの、または矩形もしくは当該矩形の頂角が角取りされたものであり、
前記取付孔は、前記可動部材における長手方向の一方の側に偏って配され、
前記固定部材が前記本体に着脱可能であって、前記固定部材を前記本体から取り外すことにより前記可動部材がその長手方向と前記孔の長手方向とを一致させて前記トラップ取付部の軸芯に対して１８０度転回可能に形成された
請求項３に記載の洗濯機パン。
【請求項５】
前記可動部材は、
前記本体と前記固定部材との間に挟まれその外形が前記孔を内包可能な大きさである被挟持部と、
前記被挟持部の内方において一方の表面から突出し突出端に前記取付孔を備えた円筒状のトラップ取付部と、を有し、
前記トラップ取付部の外周面が前記孔の内周面に当接することにより前記本体と前記固定部材との間における移動が制限される
請求項１ないし請求項４のいずれか１項に記載の洗濯機パン。
【請求項６】
前記被挟持部は、前記トラップ取付部の外周面が前記孔の内周面に当接するいずれの位置においても前記孔を塞ぐように形成された
請求項５に記載の洗濯機パン。
【発明の詳細な説明】
【技術分野】
【０００１】
本発明は、洗濯機と洗濯機が設置された床面とを隔てる防水用のパンに関する。
【背景技術】
【０００２】
近年、家庭用洗濯機を床表面に直接に置くのではなく、床面に皿状（トレー状）の洗濯機パンと呼ばれるトレー状の台を設置し、この上に置かれることがなされる。洗濯機パンは、通常排水トラップとともに使用され、洗濯機からあふれた水、泡の床面への流出を防止し、および泡を多く含むことにより排水パイプから逆流する排水が床面に流れ出るのを防止する役割を果たす。
【０００３】
洗濯機パンとともに使用され床下の排水配管に連結された排水トラップは、洗濯機パンに設けられた取り付け孔に固定される（特許文献１）。
ところで、排水トラップの排出側に連結される床下の排水配管は、居住者が使用する洗濯機の大きさ、型式および希望設置場所が考慮されることなく、戸建ての住宅またはマンションの建設時にその位置が定められる。また、洗濯機パンは、床下の排水配管施工後に床上に固定されるが、排水配管は、取り付けられる洗濯機パンの型番、洗濯機パンにおける排水トラップの取り付け位置が考慮されることなくその位置が決められることが多く、洗濯機パンに取り付けられた排水トラップの排出口の位置と排水配管の位置とが一致しない場合が生ずる。このような場合を考慮し、複数の排水トラップ取付用の孔を設けた洗濯機パンが提案されている（特許文献２）。
【０００４】
また、洗濯機パンに固定された排水トラップの排出口とこれに連結すべき排水配管との軸芯の不一致（芯ずれ）を吸収しこれらを連結するフレキシブルホースが市販されている（非特許文献１）。
【先行技術文献】
【特許文献】
【０００５】
【特許文献１】特開２００２−５２２９３号公報
【特許文献２】特開平９−２４２１４８号公報
【非特許文献】
【０００６】
【非特許文献１】インターネット、ＵＲＬ：http://www.evuc.co.jp/product/haisui/ljh/pdf/LJH.pdf
【発明の概要】
【発明が解決しようとする課題】
【０００７】
特許文献２で提案された複数の排水トラップ取付用の孔を設けた洗濯機パンは、孔の数に応じて排水トラップと排水配管とを直接に連結できる範囲が拡大する。しかし、複数の孔のいずれもが排水配管の位置に一致しない場合、洗濯機の置き場所を排水配管の位置に適合するように変更するか、または非特許文献２に紹介されたフレキシブルホースにより排水トラップと排水配管とを連結しなければならない。
【０００８】
平成１２年４月に施行された「住宅の品質確保促進法（平成十一年法律第八十一号）」に関連する平成２１年国土交通省告示第３５４号における評価方法基準の「４−１維持管理対策等級（専用配管）」では、新築住宅における排水管の専用配管について「内面が、清掃に支障を及ぼさないように平滑であり、かつ、当該排水管が清掃に支障を及ぼすようなたわみ、抜けその他変形が生じないように設置されていること」が、等級３の認定に求められている。
【０００９】
フレキシブルホースにより排水トラップと排水配管とを連結した場合、フレキシブルホースの内面は平滑とは言えず、かつフレキシブルホースを使用した排水管の専用配管は、たわみ、抜けその他変形の生ずるおそれが高い。特許文献２に提案された技術では、評価方法基準の等級３の要件を満たすために、一旦固定された洗濯機パンを、いずれかの孔が排水配管に直結できる適切な位置となるように固定し直す必要があり、非特許文献２に提案された技術では、評価方法基準の等級３の要件を満たさないという問題がある。
【００１０】
本発明は、上述の問題に鑑みてなされたもので、簡便な作業により、固定される排水ト
ラップの排出口を床下の排水配管に直接に連結することができる洗濯機パンを提供することを目的とする。
【課題を解決するための手段】
【００１１】
本発明に係る洗濯機パンは、洗濯機の排水管に連結される排水トラップが取り付け可能な洗濯機パンである。洗濯機パンは、洗濯機から漏れ出た水の外部への溢水を防止する本体、排水トラップにおける排水の流入側部分を貫通させるための点検孔を備えて本体に保持された固定部材、および排水トラップを貫通させて保持するための取付孔を備えた可動部材を有する。
【００１２】
本体は、排水トラップを貫通させるための孔を有する。洗濯機パンは、可動部材が、取付孔を点検孔および孔に連通させた状態で本体と固定部材との間に挟まれてこれらの並びに直交する方向に移動可能に保持され、かつ排水トラップを保持するときにも本体と固定部材との間を前記した直交する方向に移動可能に構成されている。
なお、上記において、可動部材が「排水トラップを保持するときにも本体と固定部材との間を前記した直交する方向に移動可能に構成」とは、可動部材が保持する予定の排水トラップの各部寸法に応じて、このような可動部材の移動を確保するように本体の孔および固定部材の点検孔が決定（設計）されることを意味し、洗濯機パンが、大きさ、各部寸法の異なる排水トラップのいずれをも保持してこのように移動する万能の可動部材を有するものであることを意味するものではない。
【００１３】
孔の形状は円形が採用される。
好ましくは、孔の形状は、楕円、２等分割された円の弦もしくは楕円の弦に弦と同寸法の辺を共通させた矩形が挟まれたもの、または矩形もしくは当該矩形の頂角が角取りされたものが採用される。
好ましくは、可動部材は、その外形が、楕円、２等分割された円もしくは楕円の弦に前記弦と同寸法の辺を共通させた矩形が挟まれたもの、または矩形もしくは当該矩形の頂角が角取りされたものが採用される。このとき、洗濯機パンは、取付孔が可動部材における長手方向の一方の側に偏って配される。固定部材は本体に着脱可能に設計され、固定部材を本体から取り外すことにより可動部材がその長手方向と孔の長手方向とを一致させてトラップ取付部の軸芯に対して１８０度転回可能に形成される。
【００１４】
好ましくは、洗濯機パンにおいて、可動部材は、本体と固定部材との間に挟まれその外形が孔を内包可能な大きさである被挟持部と、被挟持部の内方において一方の表面から突出し突出端に取付孔を備えた円筒状のトラップ取付部と、を有する。そして、可動部材は、トラップ取付部の外周面が孔の内周面に当接することにより本体と固定部材との間における移動が制限される。
【００１５】
好ましくは、被挟持部は、トラップ取付部の外周面が孔の内周面に当接するいずれの位置においても孔を塞ぐように形成される。
【発明の効果】
【００１６】
本発明によると、簡便な作業により、固定される排水トラップの排出口を床下の排水配管に直接に連結することができる洗濯機パンを提供することができる。
【図面の簡単な説明】
【００１７】
【図１】図１は洗濯機パンの平面図である。
【図２】図２は洗濯機パンの排水トラップ保持部周りの斜視図である。
【図３】図３は可動板の概略図である。
【図４】図４は固定板の概略図である。
【図５】図５は遮蔽板の概略図である。
【図６】図６は洗濯機パンに排水トラップが取り付けられたときの図１におけるＡ−Ａ矢視断面図である。
【図７】図７は凹部孔および可動板の関係を示す図である。
【図８】図８は他の形態の洗濯機パンの平面図である。
【図９】図９は洗濯機パンの排水トラップ保持部周りの斜視図である。
【図１０】図１０は可動板の概略図である。
【図１１】図１１は可動板の移動範囲を示す図である。
【図１２】図１２は他の形態の洗濯機パンの概要を示す図である。
【発明を実施するための形態】
【００１８】
図１は洗濯機パン１の平面図、図２は洗濯機パン１の排水トラップ保持部２周りの斜視図、図３は可動板３の概略図、図４は固定板４の概略図、図５は遮蔽板５の概略図である。図１における（ｂ）は排水トラップ保持部２を除いた洗濯機パン１の部分図、図３における（ａ）は上方から見た図および（ｂ）は下方から見た図、図４における（ａ）は裏面図および（ｂ）は（ａ）のＢ−Ｂ矢視断面図である。
【００１９】
洗濯機パン１は、本体１１、脚支持部１２，１２，１２，１２、排水トラップ保持部２および遮蔽板５，５からなる。
以下、「上」の文字は、洗濯機パン１が住宅で使用されるときに上となる側を意味し、その反対側を「下」とする。
本体１１は、平面視の形状が矩形であり、四方の縁には、上側に突出する壁（「側壁１３」という）を備える。本体１１は、皿（ｐａｎ）状である。
【００２０】
脚支持部１２は、洗濯機の脚が載せられる部分である。脚支持部１２は、本体１１の四隅から上方に突出する。脚支持部１２は、形状が、断面が矩形の角錐台である。脚支持部１２の上方への突出程度（高さ）は、側壁１３よりも大きい。脚支持部１２の突出端１４は、形状が矩形であって全体としては平面であり、表面には滑り止めの模様が施されている。脚支持部１２は、突出端１４の端縁のうち直交する２辺が、平面視において矩形である本体１１の直交する２辺に重なる、またはわずかに本体１１の内側に位置する。
【００２１】
側壁１３は、このように配された脚支持部１２の２つを連結するように設けられている。
脚支持部１２の突出端１４における側壁１３に直交する端縁には、遮蔽板５を保持するための保持溝１５が設けられている。保持溝１５は、平面視において略側壁１３に直交する位置から内方に、当該端縁の長さの略半分にまで延びる。保持溝１５は、端縁の角を欠くようにして延び、深さが略５ｍｍ、幅が略８ｍｍである。保持溝１５は、延びた内方の端に幅が広くなった嵌入部１６を有する。嵌入部１６は、保持溝１５の他の部分よりも幅が略５ｍｍ大きい。
【００２２】
なお、１つの脚支持部１２の突出端１４には、側壁１３に直交する端縁が２つあり、保持溝１５はこの２つの端縁のいずれにも設けられる。
保持溝１５は、側壁１３側の端で、下方に延びた溝（「係止溝１７」という）につながる。係止溝１７は、保持溝１５と同じ幅で、突出端１４から側壁１３に至る上下の端縁に沿って延びている。
【００２３】
本体１１の上面には、他の部分に比べて凹状となった、平面視で矩形の凹部２１が設けられている。凹部２１は、矩形の本体１１における１つの辺の両側の脚支持部１２，１２の間に位置する。凹部２１は、その中央に円形の孔（「凹部孔２２」という）が貫通する。凹部２１の四隅には、孔（「ボルト孔２３」という）が貫通する。
脚支持部１２は、洗濯機パン１に洗濯機を載せたままで排水トラップ６を保守管理するのに十分な間隔が得られるように、所定の高さに形成される。洗濯機パン１においては、側壁１３の上端から脚支持部１２の突出端１４までの高さは、例えば略９０ｍｍである。
【００２４】
排水トラップ保持部２は、本体１１と分離可能な部分であり、可動板３および固定板４からなる。
図３を参照して、可動板３は、被挟持部３１およびトラップ取付部３２で構成される。
被挟持部３１は平らな板による、外形が円形の環状の部分である。トラップ取付部３２は、周壁３３およびパッキン保持部３４からなる。周壁３３は、環状である被挟持部３１の内側の縁に連続して被挟持部３１の表面の一方の側に突出する、円筒状の部分である。パッキン保持部３４は、周壁３３の突出端に連続し周壁３３に直交して内方に拡がる環状の部分であり、内方に円形の孔（「取付孔３５」という）を備える。トラップ取付部３２の被挟持部３１からの突出の程度は、本体１１の凹部２１の厚さよりも大きい。
【００２５】
図４を参照して、固定板４は、固定板本体３６、本体パッキン３７および可動板用パッ
キン３８からなる。固定板本体３６は、矩形の平板で形成され、本体１１における凹部２１に隙間なく嵌り込む形状および大きさである。固定板本体３６は、中心を貫通する円形の孔（「点検孔３９」という）を有する。点検孔３９の直径は、凹部孔２２の直径に略等しく、取付孔３５の直径よりも大であって被挟持部３１の外径（直径）よりも小さい。
【００２６】
本体パッキン３７は、厚手のゴムシートで形成され、外形が固定板本体３６と同じ形状および大きさである。本体パッキン３７は、その矩形における短辺よりもわずかに小さな直径の貫通する孔（「円孔４０」という）を有する。本体パッキン３７は、その４辺を固定板本体３６の４辺に一致させて固定板本体３６の一方の表面に固着される。円孔４０の直径は被挟持部３１の外径よりも大きく、固定板４において、円孔４０の中心は点検孔３９の中心と一致している。
【００２７】
固定板本体３６および本体パッキン３７の一体化物には、その四隅近傍にボルトを貫通させるためのボルト孔が設けられている。
可動板用パッキン３８は、形状が環状であって、本体パッキン３７に比べて薄いゴムシートで形成される。可動板用パッキン３８は、内方の円形の孔の直径が点検孔３９の直径に略同じであり、半径方向の幅は小さく例えば略１０ｍｍである。可動板用パッキン３８の外径は、本体パッキン３７の内径よりも小さい。
【００２８】
可動板用パッキン３８は、その内方の端縁を点検孔３９の端縁に一致させて、本体パッキン３７が固着された側の固定板本体３６の表面に固着される。
本体パッキン３７は、その厚さｄ１が、可動板３における被挟持部３１の厚さｄ２よりも大きい。可動板用パッキン３８は、その厚さｄ３が、本体パッキン３７の厚さｄ１と被挟持部３１の厚さｄ２との差（ｄ１−ｄ２）に等しいかまたはこの差よりも大きい（図６（ａ）参照）。
【００２９】
排水トラップ保持部２は、以下のようにして本体１１に一体化される。
可動板３は、トラップ取付部３２が本体１１における凹部孔２２に挿入され、被挟持部３１が凹部２１に上方に重ねられる。次に、固定板４が、上方から本体パッキン３７が一体化された側が可動板に対向するように、かつそのボルト孔の位置が凹部２１のボルト孔２３，…，２３に一致するように、可動板３の上に重ねられる。
【００３０】
最後に、下方からボルト孔２３，…，２３を貫通するボルトに上方でナットを螺合させることにより、排水トラップ保持部２を本体１１に仮止めする。ボルトは、頭部が断面六角形の孔に嵌り込んで供回りが防止され、この孔が閉じられることにより落下が防止される。ボルトによる仮止めは、凹部２１および固定板４に挟まれた可動板３が移動可能な程度に行われる。凹部２１にボルト孔２３，…，２３を設けずに、上方からネジにより排水トラップ保持部２を仮止めしてもよい。
【００３１】
図５を参照して、遮蔽板５は、矩形の２つ板がそれぞれの長辺で互いに直交するように一体化されたものである。２つ板のうち、厚さが厚い一方を上面部４５といい、これよりも厚さの薄い他方を側面部４６という。上面部４５は、側面部４６に連続する長辺に対向する他方の長辺の両端からいずれも外方に突出する爪部４７，４７を有する。爪部４７は、突出長さが、脚支持部１２における嵌入部１６の幅と保持溝１５の他の部分の幅との差に略等しい。具体的には、爪部４７の突出長さは５ｍｍである。爪部４７は、その形状が、ちょうど嵌入部１６における保持溝１５の他の部分よりも大きくなった部分に嵌り込むことができる大きさの直方体である。
【００３２】
上面部４５の厚さは保持溝１５の深さに略同じである。
遮蔽板５は、直交する上面部４５および側面部４６の内側に、複数のリブ４８，…，４８が設けられている。リブ４８は、所定の幅を有する板材で上面部４５等に直交し、上面部４５における爪部４７側の端から側面部４６に向けて延び、側面部４６において上面部４５に連続しない側の端に至る。リブ４８は、遮蔽板５を補強する。
【００３３】
遮蔽板５は、長手方向における長さが、側壁１３を挟む２つの脚支持部１２の距離よりも大きく、２つの脚支持部１２の距離に、保持溝１５の幅の２倍を加えた値に略等しい。
洗濯機パン１は、ポリプロピレン（ＰＰ）で製造される。洗濯機パン１は、アクリロニトリル、ブタジエン、スチレン共重合合成樹脂（ＡＢＳ）等で形成される場合がある。本
体パッキン３７および可動板用パッキン３８は、ニトリルゴム（ＮＢＲ）、スチレンブタジエンゴム（ＳＢＲ）または天然ゴム（ＮＲ）等で製作される。
【００３４】
次に、洗濯機パン１を住宅に施工する際の排水トラップ６の取り付けについて説明する。
図６は洗濯機パン１に排水トラップ６が取り付けられたときの図１におけるＡ−Ａ矢視断面図である。図６において（ａ）は排水トラップ６が点検孔３９の中心に位置するとき、（ｂ）は排水トラップ６が点検孔３９内で径方向に偏って位置するとき、および（ｃ）は被挟持部３１近傍の断面を示す。
【００３５】
はじめに、排水トラップ６を、排水の流入口を有し排水を溢水させる部分（「本体部６１」という）と、溢水した排水を受ける容器部分６２（図６参照）と、が分離されて、これらの間をシールするパッキン６３が取り出される。なお、本体部６１は雄ネジを、容器部分６２は雌ネジを備え、これらが螺合されることにより、本体部６１および容器部分６２は、パッキン６３を挟んで排水トラップ６として一体化される。
【００３６】
円環状のパッキン６３は、軸芯方向の両端面が平らであって、外周面に、周方向に一周する深い溝６４を備える。パッキン６３は、溝６４を備えることにより、軸芯を含む断面の形状が「Ｕ」字状である。パッキン６３は、溝６４に被挟持部３１が嵌め入れられて可動板３に取り付けられる。
排水トラップ６の容器部分６２は、その下部に設けられ下方に開口する流出口６５が、床下における排水配管の上方に開口する流入口に直接に接続される。洗濯機パン１は、容器部分６２のフランジ６６全体が固定板４の点検孔３９内に収まる位置に配されて、床面に固定される。
【００３７】
本体１１の凹部２１と固定板４とに挟まれた可動板３は、被挟持部３１に取り付けられたパッキン６３が排水配管に連結された容器部分６２のフランジ６６に重なる位置まで移動される。本体部６１の雄ネジが容器部分６２の雌ネジに螺合されて、排水トラップ６が可動板３に保持される。必要に応じて可動板３の位置を微調整し、可動板３が凹部２１内を移動しないように、固定板４を本体１１に仮止めする４つのボルトが増し締めされ、洗濯機パン１への排水トラップ６の取り付けが終了する。
【００３８】
排水トラップ保持部２において、可動板用パッキン３８の厚さｄ２は、本体パッキン３７の厚さｄ１と被挟持部３１の厚さｄ２との差（ｄ１−ｄ２）に等しいかまたはこの差よりも大きい。そのため、仮止めする４つのボルトが増し締めされると、固定板４に固着された可動板用パッキン３８の表面が可動板３の被挟持部３１に押し付けられ、可動板３の移動が制限される。
【００３９】
洗濯機パン１は、排水トラップ２を取り付ける取付孔３５を有する可動板３が移動可能である。そのため、洗濯機パン１は、可動板３を移動させることにより、従来は是正が困難であった、床下に施工された排水配管の開口の軸芯と可動板３に取り付けられた排水トラップ６の流出口６５の軸芯との不一致を、容易に修正することができる。洗濯機パン１は、これまでフレキシブルホースで連結されていた排水トラップと床下の排水配管とを直接に接続することが可能である。洗濯機パン１は、「内面が、清掃に支障を及ぼさないように平滑であり、かつ、当該排水管が清掃に支障を及ぼすようなたわみ、抜けその他変形が生じないように設置されていること」を容易に満足させることができる。
【００４０】
図７は凹部孔２２および可動板３の関係を示す図である。図７（ａ），（ｂ）は凹部孔２２と可動板３のみを示し、（ａ）、（ｂ）、（ｃ）はいずれも下側（裏側）から凹部２１を見た図である。
排水トラップ保持部２において、可動板３は、その周壁３３の外周面５１が凹部孔２２に当たるまで移動することができる。また、可動板３は、凹部２１と固定板４に仮止めされて移動するいずれの位置においても、洗濯機から漏れ出た水の床下への流出を防止するため、排水トラップ保持部２に、洗濯機パン１を上下に貫通する隙間が生じないようにしなければならない。この要件を満たす凹部孔２２および可動板３の関係を以下に求める。
【００４１】
いずれも断面形状が円形の外周面５１、凹部孔２２および被挟持部３１外方端縁の径をａ，ｂ，ｃとする。これらは、排水トラップ保持部２において可動板３が移動可能なこと
から、「ｃ＞ｂ＞ａ」が成立する。なお、点検孔３９の径は凹部孔２２の径に等しいものとする。
可動板３の外周面５１が凹部孔２２の内面に当たるまで移動させたときに洗濯機パン１を上下に貫通する隙間が排水トラップ保持部２に生じないためには、被挟持部３１の径方向の寸法（幅）「（ｃ−ａ）÷２」が、可動板３の移動方向と反対側において増加した外周面５１と凹部孔２２との間隔「（ｂ−ａ）÷２」を塞ぐことができる大きさであることが好ましい。そのため、可動板３の中心と凹部孔２２の中心とが一致するとき、凹部２１と被挟持部３１とは、幅「（ｃ−ｂ）÷２」の範囲が重なるので、「（ｃ−ｂ）÷２＞（ｂ−ａ）÷２」、つまり「（ａ＋ｃ−２ｂ）÷２＞０」とする。
【００４２】
このようにａ，ｂ，ｃが決定されず、可動板３の移動により、洗濯機パン１に、上下に貫通する隙間が生ずる場合には、他の部材により生じた隙間を塞いで、洗濯機から漏れ出た水の床下への流出を防止する。
また、このときの排水トラップ保持部２による排水トラップ６の位置の調整範囲は、凹部孔２１を中心とする直径「ｂ−ａ」の円内である（図７（ｂ））。
【００４３】
外周面５１の径ａは、排水トラップ６のフランジの大きさによりおおよそ定まる。そうすると、凹部孔２２の径ｂおよび被挟持部３１外方端縁の径ｃは、一方を定めれば他方の大きさを設定することができる。排水トラップ保持部２を、可動板用パッキン３８を有するものとするには、可動板用パッキン３８の（径方向の）幅をｗとすると、周壁３３の外周面５１、凹部孔２２、被挟持部３１外方端縁および可動板用パッキンの各径ａ，ｂ，ｃ，ｗが「（ａ＋ｃ−２ｂ）÷２−ｗ＞０」となるように設計すればよい。
【００４４】
さて、排水トラップ６が排水トラップ保持部２に固定され、排水トラップ６から排水配管までの排出流路が形成されると、遮蔽板５が脚支持部１２の間に取り付けられる。遮蔽板５は、上面部４５を上に、爪部４７，４７を奥にして、脚支持部１２の上方から差し入れられる。遮蔽板５は、爪部４７，４７がそれぞれ異なる脚支持部１２における嵌入部１６に嵌め入れられ、両側の脚支持部１２に支持される。遮蔽板５は、上面部４５の長手方向における両端近傍がそれぞれ脚支持部１２の保持溝１５に嵌り込み、上面部４５の上面が脚支持部１２の突出端１４に円滑に連続する。遮蔽板５の側面部４６は、その長手方向の両端近傍が脚支持部１２の係止溝１７に嵌り込み、側面部４６の外面が脚支持部１２の表面に円滑に連続する。脚支持部１２，１２の間への遮蔽板５の取り付けは、洗濯機パン１に洗濯機を載せた後に行ってもよい。
【００４５】
図８は他の形態の洗濯機パン１Ｂの平面図、図９は洗濯機パン１Ｂの排水トラップ保持部２Ｂ周りの斜視図、図１０は可動板３Ｂの概略図である。図８における（ｂ）は排水トラップ保持部２Ｂを除いた洗濯機パン１Ｂの部分図、図１０において（ａ）は上方から見た図および（ｂ）は下方から見た図である。
洗濯機パン１Ｂは、本体１１Ｂ、脚支持部１２，１２，１２，１２、排水トラップ保持部２Ｂおよび遮蔽板５，５からなる。
【００４６】
本体１１Ｂの上面には、他の部分に比べて凹状であって平面視で矩形の凹部２１Ｂが設けられている。凹部２１Ｂは、側壁１３に沿う短辺の長さに対して長辺の長さが略１．７倍と長い。凹部２１Ｂの中央には、凹部２１Ｂの長手方向に延びた凹部孔２２Ｂが設けられている。凹部孔２２Ｂの形状は、図８（ｂ）を参照して、長手方向に線Ｃ−Ｃおよび線Ｄ−Ｄで３分され、中央が矩形であり、両端側がそれぞれ楕円を２等分割した形状である。図８（ｂ）の凹部孔２２Ｂは、楕円の２等分割を短軸で行ったものであるが、長軸で２分割した形状としてもよく、円を２等分割したものでもよい。
【００４７】
排水トラップ保持部２Ｂは、本体１１と分離可能であり、可動板３Ｂおよび固定板４Ｂからなる。
可動板３Ｂは、トラップ取付部３２および被挟持部３１Ｂからなる。
トラップ取付部３２は、周壁３３およびパッキン保持部３４からなり、その形状および大きさは洗濯機パン１のトラップ取付部３２におけるものと同じである。トラップ取付部３２は、可動板３Ｂにおける長手方向の一方側、つまり２分割され矩形により離された一方の半楕円側に偏って配されている。トラップ取付部３２は、長手方向に直交する幅方向
については、中央に位置する。
【００４８】
被挟持部３１Ｂは、平板で形成され、円を２等分割しこれらの間に矩形を挟んだような形状である。図１０における線Ｅ−Ｅ，Ｆ−Ｆは、２分割された円のそれぞれの仮想弦である。被挟持部３１Ｂは、トラップ取付部３２が凹部孔２２Ｂに嵌り込んだ状態で移動できるいずれの位置においても、凹部孔２２Ｂを塞いで凹部孔２２Ｂが上下に貫通するのを妨げるのに十分な大きさを有する。被挟持部３１Ｂの長手方向の両端を、楕円が２等分割された形状としてもよい。
【００４９】
固定板４Ｂは、図９を参照して、固定板本体３６Ｂ、本体パッキン３７Ｂおよび可動板用パッキン３８Ｂからなる。固定板本体３６Ｂは、矩形の平板で形成され、本体１１Ｂにおける凹部２１Ｂの短辺および長辺にその短辺および長辺の寸法が略等しい。固定板本体３６Ｂは、中心を貫通する点検孔３９Ｂを有する。点検孔３９Ｂの形状および大きさは、本体１１Ｂにおける凹部孔２２Ｂに略等しい。固定板４Ｂは、ボルト孔２３，２３の位置も含めて平面視の形状が線対称かつ点対称である。また、点検孔３９Ｂは、固定板４Ｂが凹部２１Ｂに重ねられたとき、凹部孔２２Ｂにぴったりと重なるように設けられる。
【００５０】
本体パッキン３７Ｂは、矩形である固定板本体３６Ｂと同じ大きさの矩形で厚めのゴムシートで形成される。本体パッキン３７Ｂは、可動板３Ｂの被挟持部３１Ｂに形状が類似しその両面間を貫通する孔４０Ｂが設けられている。本体パッキン３７Ｂは、その４辺を固定板本体３６Ｂの４辺に一致させて固定板本体３６Ｂの凹部２１Ｂに対向する表面に固着されている。
【００５１】
孔４０Ｂは、可動板３Ｂのトラップ取付部３２が凹部孔２２Ｂに嵌め入れられ、固定板４Ｂが本体パッキン３７Ｂを凹部孔２２Ｂ側にして凹部２１Ｂを覆うとき、トラップ取付部３２（周壁５１）が凹部孔２２Ｂに当接するまで移動できるどの位置においても、被挟持部３１Ｂがその内周面に当接しない大きさである。
可動板用パッキン３８Ｂは、本体パッキン３７Ｂに比べて薄いゴムシートで形成される。可動板用パッキン３８は、点検孔３９Ｂと同じ大きさおよび形状の孔を有し、環状であってその幅が略１０ｍｍである。可動板用パッキン３８Ｂは、その内方の端縁を点検孔３９Ｂの端縁に一致させて、固定板本体３６Ｂにおける本体パッキン３７Ｂが固着された側の表面に固着される。
【００５２】
洗濯機パン１Ｂにおける上述した部分以外の構成は、洗濯機パン１におけるものと同じであり、図８〜図１０において洗濯機パン１と同じ符合を付し、その説明を省略する。
洗濯機パン１Ｂでは、被挟持部３１Ｂの長手方向に対して偏ったトラップ取付部３２を備えた可動板３Ｂは、洗濯機パン１Ｂ（洗濯機）の置き場所および床下の排水配管の位置を考慮して、本体１１Ｂの凹部２１Ｂに収容される。例えば、工場出荷時に洗濯機パン１Ｂにおいてトラップ取付部３２の偏った側が側壁１３側に配置されたときに、施工現場で下流の排水配管が洗濯機パン１Ｂの中央側となる場合であれば、固定板４Ｂが取り外されてトラップ取付部３２の偏った側が中央側となるように可動板３Ｂが置き換えられる。
【００５３】
洗濯機パン１Ｂを住宅に施工する際の排水トラップ６の取り付け方は、洗濯機パン１と同じである。
図１１は可動板３Ｂの移動範囲を示す図である。
図１１（ａ），（ｂ）は、トラップ取付部３２の偏った側が中央側となるように可動板３Ｂが取り付けられたときのトラップ取付部３２の位置の例である。図１１（ｃ），（ｄ）は、トラップ取付部３２の偏った側が側壁１３側となるように可動板３Ｂが取り付けられたときのトラップ取付部３２の位置の例である。なお、図１１は固定板４Ｂが取り外された状態のものであり、図中の網掛けは、可動板３Ｂを示している。
【００５４】
洗濯機パン１Ｂは、可動板３Ｂにおける被挟持部３１Ｂが細長く、トラップ取付部３２が被挟持部３１Ｂの長手方向の一方の側に偏って配され、かつ可動板３Ｂが１８０度置き換え可能とされた。これにより、洗濯機パン１Ｂは、トラップ取付部３２の軸芯の位置が、図１１（ａ）の符合Ｈ，Ｊ，Ｋ，Ｌ，Ｍ，Ｎで囲まれた範囲内で変更でき、排水トラップ６と下流側の排水配管とを直接に接続することが可能な洗濯機の配置について選択の自由度を高めることができる。
【００５５】
洗濯機パン１１Ｂにおいて、凹部孔２２Ｂおよび被挟持部３１Ｂの形状を楕円形とすることができる。これらの形状を楕円形とした場合も、可動板の可動範囲は洗濯機パン１１Ｂにおけるものよりも若干狭くなる。
図１２は他の形態の洗濯機パン１Ｃの概要を示す図である。なお、図１２では固定板が省略され、可動板３Ｃには網掛けが施されている。
【００５６】
洗濯機パン１Ｃにおける凹部２１Ｃおよび排水トラップ保持部を除く他の部分は、洗濯機パン１Ｂにおけるものと同じである。
凹部２１Ｃは、凹部孔２２Ｃの形状が洗濯機パン１Ｂの凹部孔２２Ｂと異なる点を除き、洗濯機パン１Ｂの凹部２１Ｂと同じである。
凹部孔２２Ｃは、凹部２１Ｃの長手方向をその長手方向とする矩形における頂角が、円弧により角（かど）取りされた形状を有する。
【００５７】
排水トラップ保持部は、トラップ取付部３２と被挟持部３１Ｃとからなる可動板３Ｃ、および固定板で形成される。
可動板３Ｃは、平面視における被挟持部３１Ｃの形状が異なる点を除き、前述した可動板３Ｂと同じである。被挟持部３１Ｃの形状は、凹部孔２２Ｃと同じく、凹部２１Ｃの長手方向をその長手方向とする矩形における頂角が、円弧により角（かど）取りされたものである。トラップ取付部３２は、被挟持部３１Ｃの一方の表面から下方に突出し、被挟持部３１Ｃの長手方向における一方の側に偏って配されている。
【００５８】
可動板３Ｃにおける被挟持部３１Ｃは、トラップ取付部３２が凹部孔２２Ｃに嵌り込んだ状態で移動できるいずれの位置においても、凹部孔２２Ｃを塞いで凹部孔２２Ｃが上下に貫通するのを妨げるのに十分な大きさを有する。
凹部孔２２Ｃおよび被挟持部３１Ｃの形状を、角取りされない矩形そのものとしてもよい。
【００５９】
固定板は、凹部２１Ｃにぴったりと嵌り込む大きさおよび形状であり、凹部２１Ｃに嵌り込んだときに、凹部孔２２Ｃにその端縁が重なる点検孔を有する。固定板は、平面視において線対称かつ点対称である。
排水トラップ保持部２Ｃにおける可動板３Ｃも、排水トラップ保持部２Ｂにおける可動板３Ｂと同様に、凹部２１Ｃ内の初期状態に対してトラップ取付部３２の軸芯周りに１８０度回転させて使用することができる。
【００６０】
図１１（ａ），（ｂ）および図１１（ｃ），（ｄ）は、可動板３Ｃが１８０度異なる配置をされた場合の、それぞれの洗濯機パン１Ｃにおけるトラップ取付部３２の位置の例を示すものである。
洗濯機パン１Ｃは、可動板３Ｃを移動させ、また１８０度転回させることにより、トラップ取付部３２の軸芯の位置を、図１２（ａ）の符合Ｏ，Ｐ，Ｑ，Ｒで囲まれた範囲内で任意に変更することができる。
【００６１】
図１２（ａ）における符合Ｏ，Ｐ，Ｑ，Ｒで囲まれた範囲を図１１（ａ）における符合Ｈ，Ｊ，Ｋ，Ｌ，Ｍ，Ｎで囲まれた範囲と比べると、凹部孔２２Ｃおよび被挟持部３１Ｃの形状がより矩形に近づいた洗濯機パン１Ｃでは、トラップ取付部３２をより大きな範囲に移動することができ、洗濯機パン１Ｃの配置すなわち洗濯機の配置の自由度がより高まる。
【００６２】
上述の実施形態において、凹部孔２２，２２Ｂ，２２Ｃ、点検孔３９，３９Ｂおよび被挟持部３１，３１Ｂ，３１Ｃの形状を上述したものと異なるものとすることができる。例えば、点検孔の形状を凹部孔２２，２２Ｂ，２２Ｃに外接する矩形とし、被挟持部の形状を、点検孔を内包する円形または長円形としてもよい。
可動板３，３Ｂ，３Ｃに周壁３３を設けず、被挟持部３１，３１Ｂ，３１Ｃにパッキン保持部３４が直接に連続する、環状の平板としてもよい。その場合には、凹部２１，２１Ｂ，２１Ｃと固定板４，４Ｂとの間における可動板の移動の制限を、固定板４，４Ｂに固着され厚さが大きな本体パッキン３７，３７Ｂにおける円孔４０、孔４０Ｂの内周面で行う。
【００６３】
本体パッキン３７，３７Ｂを固定板４，４Ｂではなく凹部２１，２１Ｂ，２１Ｃに固着
してもよく、またいずれにも固着しないでこれらに挟み込まれるようにしてもよい。
また、可動板３，３Ｂ，３Ｃにおける３，３Ｂ，３Ｃの軸芯方向（上下方向）における突出の程度が大きく、排水トラップ６を固定する可動板３，３Ｂ，３Ｃの移動が、専ら周壁３３の凹部孔２２，２２Ｂ，２２Ｃへの当接により制限される場合には、点検孔３９，３９Ｂを、排水トラップ６の本体部６１が通過可能な範囲で凹部孔２２，２２Ｂ，２２Ｃの大きさに関わらずこれよりも小さくすることができる。例えば、図６において、本体部６１のフランジ６７が点検孔３９よりも下方となる場合である。なお、点検孔３９，３９Ｂが排水トラップ６の本体部６１を通過させることができない場合であっても、洗濯機を移動させ、固定板４，４Ｂを取り外せば排水トラップ６等の保守管理が可能である。
【００６４】
洗濯機パン１，１Ｂ，１Ｃにおけるそれぞれの構成は、異なる洗濯機パン１，１Ｂ，１Ｃに転用することができ、また上述した各構成の組み合わせ以外にもそれぞれ個別に組み合わせることができる。
その他、洗濯機パン１，１Ｂ，１Ｃ、および洗濯機パン１，１Ｂ，１Ｃの各構成または全体の構造、形状、寸法、個数、材質などは、本発明の趣旨に沿って適宜変更することができる。
【産業上の利用可能性】
【００６５】
本発明は、洗濯機を床面と隔てる防水用の洗濯機パンに利用することができる。
【符号の説明】
【００６６】
１，１Ｂ，１Ｃ  洗濯機パン
３，３Ｂ，３Ｃ  可動板（可動部材）
４，４Ｂ  固定板（固定部材）
６  排水トラップ
１１，１１Ｂ  本体
２２，２２Ｂ，２２Ｃ  凹部孔（孔）
３１，３１Ｂ，３１Ｃ  被挟持部
３２  トラップ取付部
５１  外周面（トラップ取付部の外周面）
【図１】
2013217095.tif 000003
【図３】
2013217095.tif 000004
【図５】
2013217095.tif 000005
【図８】
2013217095.tif 000006
【図１０】
2013217095.tif 000007
【図２】
2013217095.tif 000008
【図４】
2013217095.tif 000009
【図６】
2013217095.tif 000010
【図７】
2013217095.tif 000011
【図９】
2013217095.tif 000012
【図１１】
2013217095.tif 000013
【図１２】
2013217095.tif 000014